(57)【要約】【課題】ステージ部上を転動した遊技球を、入賞口への入賞確率を高めて、ステージ部から流出可能なパチンコ遊技機を提供すること。【解決手段】パチンコ遊技機１は、センター役物１６が、遊技球を転動させるステージ部１９、入賞補助通路４９、ステージ部からセンター役物外へ排出可能な排出路４４、及び、ステージ部上に遊技球を入球させる入球口１７を備える。入賞補助通路は、遊技球Ｂを、ステージ部に開口させた流入口５０から流入させ、流出口５１から入賞口へ向けて流出可能として、配設されている。入賞補助通路内には、通過する遊技球を減速させて流出口側へ案内するように、入賞補助通路内を通過する遊技球と接触可能な干渉部７１が、配設されている。【選択図】図４
2010017313.tif 000002
【特許請求の範囲】
【請求項１】
センター役物が、
遊技球を上流側から下流側まで転動させるステージ部と、
遊技球を、前記ステージ部に開口させた流入口から流入させ、流出口から入賞口へ向けて流出可能とする入賞補助通路と、
前記ステージ部における遊技球の転動する下流側に配置されて、前記ステージ部の前縁から遊技球をセンター役物外へ排出可能な排出路と、
前記ステージ部に遊技球を入球させる入球口と、
を備えて構成されるパチンコ遊技機であって、
前記入賞補助通路内を通過する遊技球を減速させて前記流出口側へ案内するように、前記入賞補助通路内を通過する遊技球と接触可能な干渉部が、前記入賞補助通路の内周面側に配設されていることを特徴とするパチンコ遊技機。
【請求項２】
前記ステージ部が、遊技球の転動する上流側となる上ステージと、該上ステージの下方に配置されて、遊技球の転動する下流側となる下ステージと、の少なくとも二つのステージを備えるとともに、
前記流入口が、前記上ステージ側に配設され、
前記センター役物が、
前記流入口の前側に配置されるとともに、上面側の支持面で前記下ステージ側の遊技球を受け止めて、前記流入口に流入可能とする前記上ステージ側に移送可能に、上下往復移動可能なリフトと、
前記流入口に流入しなかった遊技球を、前記上ステージから前記下ステージにおける前記リフトの遊技球の受止エリアまで転動させて戻し可能な戻しルートと、
を備えて構成され、
前記入賞補助通路における前記流出口側の部位が、前記リフトの前記支持面の下方に配設され、
前記リフトが、下部側に、前記入賞補助通路の内周側に延ばして前記干渉部を配設させて構成されていることを特徴とする請求項１に記載のパチンコ遊技機。
【請求項３】
前記干渉部が、前記リフトの上下動に伴って、通過時の遊技球に対する減速状態を変動可能に、遊技球に対する接触抵抗を上下にわたって変化させるように、配設されていることを特徴とする請求項２に記載のパチンコ遊技機。
【請求項４】
前記干渉部が、遊技球の前面側を受け止め可能な受止面を備え、前記リフトの下降時に、前記受止面を遊技球の前面側から離脱させるように下降移動させることにより、遊技球を減速させて通過させていることを特徴とする請求項２若しくは請求項３に記載のパチンコ遊技機。
【請求項５】
前記干渉部が、遊技球の前面側を受け止め可能な受止面を備え、前記リフトの上昇時に、前記受止面を遊技球の前面側から離脱させるように上昇移動させることにより、遊技球を減速させて通過させていることを特徴とする請求項２若しくは請求項３に記載のパチンコ遊技機。
【発明の詳細な説明】
【技術分野】
【０００１】
本発明は、ステージ部を転動する遊技球を、ステージ部に開口させた流入口から流入させ、流出口から入賞口へ向けて流出可能とする入賞補助通路が、センター役物に配設されて構成されているパチンコ遊技機に関する。
【背景技術】
【０００２】
従来、パチンコ遊技機では、センター役物のステージ部上に入球する遊技球を、減速させて、ステージ部の下方の始動入賞口（スタートチャッカ）側に落下させるものが知られている（例えば、特許文献１，２参照）。
【０００３】
また、従来のパチンコ遊技機では、ステージ部を転動する遊技球を、ステージ部の下方に位置した入賞口に入り易くステージ部から落下させるように、遊技球の流入口と流出口とを有して、ステージ部の下方側で貫通して配設される入賞補助通路を、センター役物に設けたものが知られている（例えば、特許文献３参照）。このセンター役物では、周囲に配置された飾り枠体の入球口から遊技球がステージ部に流入した際、ステージ部の左右方向の中央に開口した流入口に、遊技球が流入すれば、その遊技球が、ステージ部の下方に位置した入賞口の上方で開口した流出口から、入賞確率を高めて、入賞口側へ落下することとなっていた。
【特許文献１】特開２００１−２７６３４２号公報
【特許文献２】特開２００４−１７３９３１号公報
【特許文献３】特開２００１−１５７７４２号公報
【発明の開示】
【発明が解決しようとする課題】
【０００４】
しかし、従来の遊技球を減速させる構成のパチンコ遊技機では、ステージ部上に入球する際のワープ通路に、遊技球を減速させるような減速構造体を配設させているものであった。そのため、一旦、遊技球がステージ部上に入球して転動する状態となれば、遊技球は、単に、始動入賞口側に落下するまで、転動する際の摩擦抵抗等の他に、減速されることが無く、始動入賞口側に落下する遊技球の始動入賞口への入賞確率を一層向上させる点に、改善の余地があった。
【０００５】
また、従来の入賞補助通路を備えたパチンコ遊技機においても、流出口から落下するように流出する遊技球が、入賞口に入賞しない場合があり、一層、入賞確率を高めて、遊技球を流出口から流出させる点に、改善の余地があった。
【０００６】
本発明は、上述の課題を解決するものであり、ステージ部上を転動した遊技球を、入賞口への入賞確率を高めて、ステージ部から流出可能なパチンコ遊技機を提供することを目的とする。
【課題を解決するための手段】
【０００７】
本発明に係るパチンコ遊技機は、センター役物が、
遊技球を上流側から下流側まで転動させるステージ部と、
遊技球を、ステージ部に開口させた流入口から流入させ、流出口から入賞口へ向けて流出可能とする入賞補助通路と、
ステージ部における遊技球の転動する下流側に配置されて、ステージ部の前縁から遊技球をセンター役物外へ排出可能な排出路と、
ステージ部に遊技球を入球させる入球口と、
を備えて構成されるパチンコ遊技機であって、
入賞補助通路内を通過する遊技球を減速させて流出口側へ案内するように、入賞補助通路内を通過する遊技球と接触可能な干渉部が、入賞補助通路の内周面側に配設されていることを特徴とする。
【０００８】
本発明に係るパチンコ遊技機では、入球口を経てステージ部上に入球した遊技球が、入賞補助通路の流入口に流入すれば、入賞補助通路内を通過して、流出口から入賞口側へ向けて流出される。その際、入賞補助通路内には、入賞補助通路内を通過する遊技球を減速させて流出口側へ案内するように、入賞補助通路内を通過する遊技球と接触可能な干渉部が、配設されており、干渉部により流出口から流出する遊技球は、減速されて、入賞口への入賞確率を高められて、入賞口側に向けて流出することとなる。
【０００９】
勿論、ステージ部には、遊技球をステージ部から排出させる排出路が配設されており、遊技球が流入口に流入しなければ、排出路から排出されてしまう。
【００１０】
そして、本発明に係るパチンコ遊技機の干渉部は、入賞補助通路内に配設されており、入賞補助通路自体が、流入口から流入した遊技球を、入賞口へ入り易くするように流出口から流出させるものであり、遊技球が流入口へ流入すれば、干渉部により、一層、入賞確率を高めれられて、流出口から入賞口側へ流出されることから、流入口の存在価値が高まり、流入口へ入るか、あるいは、排出路から排出されてしまうかと、遊技者にハラハラドキドキさせて、遊技の趣向性を向上させることができる。
【００１１】
したがって、本発明に係るパチンコ遊技機では、ステージ部上を転動して流入口に流入した遊技球を、入賞口への入賞確率を高めて、ステージ部の流出口から流出させることができ、さらに、入賞補助通路の流入口の存在価値が高まり、流入口に入るか否かと、遊技者にハラハラドキドキさせることができ、遊技の趣向性を高めることができる。
【００１２】
そして、ステージ部が、遊技球の転動する上流側となる上ステージと、上ステージの下方に配置されて、遊技球の転動する下流側となる下ステージと、の少なくとも二つのステージを備える場合には、流入口は、上ステージ側に配設して、センター役物には、流入口の前側に配置されるとともに、上面側の支持面で下ステージ側の遊技球を受け止めて、流入口に流入可能とする上ステージ側に移送可能に、上下往復移動可能なリフトと、流入口に流入しなかった遊技球を、上ステージから下ステージにおけるリフトの遊技球の受止エリアまで転動させて戻し可能な戻しルートと、を設け、そして、入賞補助通路における流出口側の部位を、リフトの支持面の下方に配設するとともに、リフトには、下部側に、入賞補助通路の内周側に延びる干渉部を配設させて構成することが望ましい。
【００１３】
このような構成では、遊技球が、上ステージの流入口に流入しなかった場合でも、戻しルートを経て下ステージ側に転動した遊技球を、リフトにより、流入口への流入を可能に、上ステージ側に移送でき、さらに、リフトが上下往復移動する移送動作を繰り返して、上記の戻しルートを利用して、遊技球が、排出路から排出する場合を除いて、ループ動作で入賞補助通路の流入口へ流入する可能性が生じ、遊技者に、入賞口への入賞の期待感を、一層、与えることができ、遊技の趣向性が向上する。そして、干渉部が、上下動を繰り返すリフトの下部側に、設けられており、別途、干渉部を配設しなくともよく、部品点数を少なく構成でき、そして特に、上下動を繰り返すリフトに干渉部が配設されているため、干渉部の遊技球に接触するタイミングや接触の程度を、リフトの上下動に伴って種々設定でき、遊技球の減速の有無や減速の程度の調整や設定を、容易に行うことができる。
【００１４】
この場合、例えば、干渉部が、リフトの上下動に伴って、通過時の遊技球に対する減速状態を変動可能に、遊技球に対する接触抵抗を上下にわたって変化させるように、配設されていれば、遊技球の減速の有無や減速の程度の調整や設定を、容易に行うことができる。
【００１５】
また例えば、干渉部に、遊技球の前面側を受け止め可能な受止面を設け、リフトの下降時に、受止面を遊技球の前面側から離脱させるように下降移動させたり、あるいは、リフトの上昇時に、受止面を遊技球の前面側から離脱させるように上昇移動させる構成とすれば、遊技球を、受止面で受け止めて停止させるように減速させ、その後、流出口側へ転動させることができて、流出口から流出する遊技球の速度を、入賞口への入賞確率をより高めるように、安定させることができる。
【発明を実施するための最良の形態】
【００１６】
以下、本発明の一実施形態を図面に基づいて説明すると、実施形態のパチンコ遊技機（以下、単に遊技機と略す）１では、図１に示すように、遊技盤面２における外側レール３と内側レール４とで囲まれた遊技領域５を備え、遊技領域５には、その中央に、飾り枠体１３に囲まれてセンター役物１６が配設されている。センター役物１６の後方には、液晶等で所定の図柄を表示する図柄表示装置１４が配設されている。
【００１７】
遊技領域５の飾り枠体１３の周囲には、図示しない釘、風車６、普通入賞口７、賞球の無い入賞口８、始動入賞口９、電動チューリップ１０、大入賞口１１、アウト口１２等の公知の部材が配設されて、図示しないハンドルを操作し、遊技球を外側レール３と内側レール４との間から遊技領域５に打ち出せば、遊技球は、普通入賞口７、賞球の無い入賞口８、始動入賞口９、電動チューリップ１０、大入賞口１１、アウト口１２のいずれかに入球する。そして、遊技球が、普通入賞口７や開放時の大入賞口１１に入賞すれば、所定数の遊技球を獲得でき、入賞口８に入賞すれば、抽選により電動チューリップ１０を所定時間若しくは所定回数開放させることとなる。また、遊技球が、始動入賞口９や開放時の電動チューリップ１０に入賞すれば、抽選により、大当たり、中当たり、小当たり等の当たりや外れが決定され、当たりとなれば、大入賞口１１を、その当たりに応じて開放時間、開放回数、入賞個数等を制限して、開放することとなる。これらの作動や遊技フローは、公知のものであり、遊技盤面２の背面側に配置された図示しないメイン制御基板が、入賞時のセンシングに基づき、各種の作動信号を出力し、そして、メイン制御基板からの当たりや外れ等の抽選結果に基づいて、図示しないサブ制御基板が、所定数の遊技球を払い出したり、所定のランプやスピーカ等を作動させつつ、所定の演出を図柄表示装置１４に表示することとなる。
【００１８】
そして、飾り枠体１３で囲まれた実施形態のセンター役物１６は、図２に示すように、ステージ部１９、ワープ通路１７、入賞補助通路４９、及び、リフト６０を配設させて構成されている。ステージ部１９は、飾り枠体１３の下枠１３ａ側に配置されて、遊技球Ｂを上面側でそれぞれ転動可能な上ステージ２０と上ステージ２０の下方に配置される下ステージ３２との少なくとも二つのステージ２０，３２を有して構成されている。なお、実施形態では、図柄表示装置１４に近い後部側に上ステージ２０が配設され、下ステージ３２が、前部側に配置されている。
【００１９】
ワープ通路１７は、図１，２に示すように、ステージ部１９への遊技球Ｂの入球口となるもので、飾り枠体１３におけるステージ部１９の上方側の左枠１３ｂ側で開口した入口１７ａから入る遊技球Ｂを、ステージ部１９の上ステージ２０の左縁側に転動可能に案内するように、配設されている。
【００２０】
入賞補助通路４９は、図１，２に示すように、流出口５１を下ステージ３２の下方に位置した始動入賞口９の上方で開口させ、また、上ステージ２０の左右方向の中央付近に流入口５０を開口させて構成されて、流入口５０から流入した遊技球Ｂを、自重により、流出口５１まで転動させ、流出口５１から、始動入賞口９へ流出可能として、始動入賞口９への入賞を補助するために配設されている。この入賞補助通路４９は、図６に示すように、上ステージ２０の左右方向の中央付近に配置された流入口５０から、上ステージ２０の背面、下方、さらに、下ステージ３２の左右方向の中央の下方に位置する流出口５１まで、前後方向に沿った略Ｌ字状の通路として構成されている。そして、実施形態の場合には、入賞補助通路４９における流出口５１側の前後方向に沿って前下がりの直線状とした流出側通路５２には、上方のリフト６０側に延びる分岐通路５３が配設されている。この分岐通路５３は、リフト６０に設けた後述する第２流入口６９から流入した遊技球Ｂを、分岐通路５３に流入させて、さらに、分岐通路５３を経て流出側通路５２に流入させ、そして、流出口５１から始動入賞口９側へ流出可能に構成されている。ちなみに、実施形態の場合、流出側通路５２の上部側の周壁がリフト６０により構成されて、リフト６０の上昇に伴って第２流入口６９が上方に移動しつつ開口する際に、第２流入口６９から流出側通路５２までのリフト６０内を通過する部位として、分岐通路５３が上下方向に沿って長く形成される構成としている。
【００２１】
そして、ステージ部１９の上ステージ２０は、図２，３に示すように、上面側で遊技球Ｂを転動可能な上転動面２１を備え、上転動面２１は、左右方向の中央付近となる中央部２２を高くし、中央部２２から左右に延びる左面部２７と右面部２８とを、それぞれ、中央部２２から離れるに従って低くし、さらに、最も低い底部２７ａ，２８ａから外縁２７ｂ，２８ｂ側にかけて、徐々に高くするように構成されている。ワープ通路１７の出口１７ｂは、中央部２２側に向いて、左面部２７の外縁２７ｂ付近に配設されている。そして、中央部２２は、流入口５０の前側に位置する前側部２３に、流入口５０への流入を補助するように流入口５０の開口面積を前方側に広げる案内口２３ａを設けて構成されている。案内口２３ａの前側には、案内口２３ａへの遊技球Ｂの後方側への転動を僅かに邪魔するように、小さな突起２３ｂが設けられている。
【００２２】
また、上ステージ２０の後縁側には、図１，２に示すように、図柄表示装置１４側との境界として、背面壁３０が左右方向に沿って上方に突設され、背面壁３０の左右方向の中央に流入口５０が開口している。この流入口５０は、案内口２３ａとともに、左右方向の開口寸法ＷＨを、一個分の遊技球Ｂの直径寸法より僅かに大きな寸法（図７のＡ参照）としている。
【００２３】
また、上ステージ２０の上転動面２１の前縁側には、図２に示すように、底部２７ａ，２８ａより外縁２７ｂ，２８ｂ側のエリアに、下ステージ３２と区画するための仕切壁４０，４１が左右方向に沿って配設されている。また、底部２７ａ，２８ａ間の上転動面２１の前縁側には、下降時のリフト６０側への遊技球Ｂの落下を防止する突条２６が突設されている。さらに、突条２６の前方側におけるリフト６０の配設部位を除いたエリアでは、上ステージ２０と下ステージ３２とを区画する区画壁３９が、上転動面２１より上方に突出するように配設されている。
【００２４】
ステージ部１９の下ステージ３２は、図２，４に示すように、上面側で遊技球Ｂを転動可能な下転動面３３を備え、下転動面３３は、左右方向の中央付近となる中央部３４を低くし、中央部の左右両側を高くするように構成され、左右の外縁３３ａ，３３ｂに至る途中で、上ステージ２０の上転動面２１における左面部２７と右面部２８との底部２７ａ，２８ａ付近から、上転動面２１と略面一の同じ曲面として構成されている。中央部３４の後方側には、区画壁３９の収納孔３９ａに収納された状態から上下往復移動を繰り返すリフト６０が配設されている。そして、中央部３４には、図４や図６のＡに示すように、前部側に配置される二つの前下がりの傾斜面３６，３６と、後部側に配置されて遊技球Ｂをリフト６０の支持面６１側に案内可能な後下がりの一つの案内面３５と、が配設されている。二つの傾斜面３６，３６は、遊技球Ｂを下ステージ３２の前縁から飾り枠体１３（センター役物１６）外の下方へ自由落下させて排出する排出路４４を構成するものであり、二つの傾斜面３６，３６の間には、下方の始動入賞口９に入賞するように自由落下することを邪魔するように、小さな突起３７が形成されている。また、下転動面３３の前縁側には、傾斜面３６，３６と突起３７とが配設されたエリアを除いて、すなわち、排出路４４のエリアを除いて、遊技球Ｂの前方側への落下を防止可能な突条４２，４３が、小さな突出量として、上方に突設されている。
【００２５】
また、上ステージ２０の底部２７ａ，２８ａの前方側には、仕切壁４０，４１と区画壁３９との間に、上転動面２１から下ステージ３２の下転動面３３に遊技球Ｂを転動させる連通口４７，４７が形成されている。
【００２６】
そして、遊技球Ｂが、図４に示すように、リフト６０の支持面６１で支持されて上転動面２１の中央部２２まで持ち上げられ、流入口５０に流入しなかった場合には、その遊技球Ｂは、図２に示すように、左面部２７若しくは右面部２８を底部２７ａ，２８ａ付近まで転動し、連通口４７，４７を経て、底部２７ａ，２８ａから下ステージ３２の下転動面３３に転動し、そして、中央部３４のリフト６０付近まで転動し、排出路４４から排出されなければ、再度、リフト６０で持ち上げられて循環するようなループ動作する場合が生ずる。すなわち、左面部２７や右面部２８は、下転動面３３とともに、連通口４７，４７を利用して、遊技球Ｂをループ動作で戻すような戻しルート４６を構成している。
【００２７】
リフト６０は、図３〜５に示すように、遊技球Ｂを、上面側の支持面６１上に載せて下ステージ３２側から上ステージ２０側まで上昇可能として、上下往復移動を繰り返すものであり、実施形態の場合には、飾り枠体１３の内部に配設された一つの電動モータ７６を駆動源とした駆動機構７５により、上下往復移動を繰り返している。
【００２８】
駆動機構７５は、簡単に説明すると、図８に示すように、電動モータ７６の駆動軸７６ａに設けた偏心カム７７、左右方向に往復移動可能に飾り枠体１３内で支持されたカムレバー７８，７８Ｒ、上下方向に回動可能に飾り枠体１３内で支持されたクランク８０，８０Ｒ、リンク７９，７９Ｒを備えて構成されている。そして、駆動機構７５の作動時には、電動モータ７６の駆動軸７６ａが回転駆動することにより、偏心カム７７のピン７７ａを摺動させる摺動溝７８ａを有したカムレバー７８が、左右方向に往復移動し、カムレバー７８の先端７８ｂとクランク８０の下アーム８０ｂの先端とに回転自在に軸支されたリンク７９を介して、クランク８０を軸支部８０ａ回りで、上下方向に揺動させる。そして、クランク８０が上下に揺動すれば、クランク８０の上アーム８０ｃの先端のピン８０ｄを摺動溝部６７内で左右に摺動させていたリフト６０が、上下往復移動することとなる。なお、リフト６０の右側のクランク８０Ｒ、リンク７９Ｒ、及び、カムレバー７８Ｒは、電動モータ７６の駆動力が直接作用しないものの、左側のクランク８０、リンク７９、及び、カムレバー７８と、略左右対称形に配設されて同様な動作を行って、リフト６０をバランス良く上下往復移動させるように、配設されている。また、図８に示す符号８２の部材は、カムレバー７８，７８Ｒの左右方向の往復移動を支持する支持ガイドであり、符号８３の部材は、クランク８０，８０Ｒを回動自在に支持する支持軸であり、これらの支持ガイド８２や支持軸８３は、飾り枠体１３の内部の部位に配設固定されている。さらに、リフト６０は、区画壁３９の収納孔３９ａの内周面３９ｂに案内されて（図７のＡ参照）、上下往復移動することとなる。
【００２９】
リフト６０は、図８に示すように、略長方形板状として、上面の全域を支持面６１として構成されている。そして、支持面６１の左右方向の幅寸法ＷＬは、図７のＡに示すように、流入口５０の左右方向の開口寸法ＷＨと、上ステージ２０の戻しルート４６における流入口５０の左右にそれぞれ隣接する少なくとも遊技球Ｂの１個の直径寸法分とした隣接エリア２４，２５の左右方向の幅寸法ＷＡ，ＷＡと、を合わせた寸法以上として、流入口５０の前側に配置されている。なお、実施形態の支持面６１の左右方向の幅寸法ＷＬは、遊技球Ｂの直径寸法の約４倍の寸法に設定されている。また、支持面６１の前後方向の奥行寸法ＤＬは、上転動面２１や下転動面３３の奥行寸法ＤＲと略等しく、遊技球Ｂの１個の直径寸法より僅かに大きな寸法としている（図６のＡ参照）。
【００３０】
また、リフト６０は、図６のＡに示すように、最下降時の支持面６１の前縁６１ａを、下ステージ３２の下転動面３３の中央部３４を転動する遊技球Ｂを受け入れ可能な高さ位置に配置させ、かつ、図６のＢに示すように、最上昇時の支持面６１の後縁６１ｂ側を、流入口５０の下縁付近の高さ位置に配置させるように、支持面６１を上下動可能に配設されている。なお、実施形態の場合、支持面６１は、最下降時の前縁６１ａを、下ステージ３２の中央部３４の案内面３５に連なるように、設定され、最上昇時の支持面６１の後縁６１ｂは、実施形態の場合、突条２６を僅かに超えた上方に配置されるように設定されている。
【００３１】
そして、リフト６０は、図６〜８に示すように、支持面６１が、リフト６０の最上昇時に、流入口５０と左右の隣接エリア２４，２５とにわたる前側に、後縁６１ｂを配置させて、支持した遊技球Ｂを、流入口５０若しくは左右の隣接エリア２４，２５に転動可能に、後下がりで、かつ、左右に揺動可能に支持するように、下方へ凹む凹面として、形成されている。さらに、実施形態の場合には、支持面６１が、流入口５０の前側の部位に、左右方向に沿う鉛直断面で最も低く凹む中央底部６２を設け、中央底部６２から左右両側に離れる左縁部６３や右縁部６４に従って高くなるような凹面として、形成されている。実施形態の場合、支持面６１は、円弧の曲面の一部から構成され、その半径寸法ＲＬ（図７のＡ参照）は、遊技球Ｂの直径寸法の２０〜４０倍程度の２００〜４００ｍｍ程度としている。
【００３２】
さらに、リフト６０には、図４，５に示すように、最上昇位置への配置時に、下ステージ３２の下転動面３３における中央部３４の案内面３５からリフト６０側に転動する遊技球Ｂを分岐通路５３を経て入賞補助通路４９の流出側通路５２へ流入可能に開口する第２流入口６９が、開口している。この第２流入口６９は、図２，３に示すように、リフト６０の下降時には、下ステージ３２の下転動面３３の案内面３５の下方に隠れるように形成され、実施形態の場合、上縁側を半円形に開口させて、リフト６０の下縁まで開口させた長穴状としている。そのため、実施形態のリフト６０は、正面視として、上面を支持面６１とした天井壁部６５と、天井壁部６５の左右両側から第２流入口６９を間にして下方に延びる左右の支持脚部６６，６６と、を備えた門型（逆Ｕ字形）に形成されている（図８参照）。この第２流入口６９の左右方向の開口寸法は、流入口５０の開口寸法ＷＨと等しく設定されて、一個分の遊技球Ｂの直径寸法より僅かに大きな寸法としている（図７のＣ参照）。なお、リフト６０を上下動させる駆動機構７５のクランク８６，８６Ｒのピン８０ｄが摺動する摺動溝部６７は、天井壁部６５の後面側に設けられている。
【００３３】
そして、リフト６０の下部側における左右の支持脚部６６，６６の相互の対向部位には、図６〜８に示すように、上下方向に延びる略半円板形状の干渉部７１，７１が形成されている。各干渉部７１は、リフト６０を形成した合成樹脂等の形成材料で一体的に形成されて、相互に接近するように配設されている。そして、干渉部７１，７１は、入賞補助通路４９の周壁に設けられたスリット５４を経て流出側通路５２の内周側に延びるように配設されて、流出側通路５２内を通過する遊技球Ｂを減速させて流出口５１側へ案内可能に、遊技球Ｂに接触するように配設されている。この干渉部７１は、リフト６０の最上方位置の配置時から、下転動面３３の案内面３５から上方に開口している第２流入口６９が、開口面積をほぼ半分程度まで狭める高さ位置まで下降する際（図５，７のＣ，Ｂ参照）、流出側通路５２の左右両側から流出側通路５２の中心側へ延びるように配設されている。そして、流出側通路５２を通過する遊技球Ｂが、干渉部７１，７１の後面の受止面７１ａに接触すれば、停止するまで減速されて、リフト６０の更なる下降に伴い（図５，７のＣ，Ｂ，Ａ参照）、干渉部７１，７１の受止面７１ａが遊技球Ｂの前面側から同時に離脱するように下方に移動して、遊技球Ｂは、一定の速度に減速された状態で流出口５１側に転動し、落下する放物線を始動入賞口９へ入賞し易い軌跡となるように、始動入賞口９に入賞する確率を高めて、流出口５１から流出（落下）することとなる（図６のＢ参照）。
【００３４】
実施形態の遊技機１の作動を説明すれば、電源オンとともに、リフト６０が、駆動機構７５の作動によって上下往復移動を繰り返すこととなり、そして、遊技時、ワープ通路１７の入口１７ａに遊技球Ｂが入球されれば、遊技球Ｂは、出口１７ｂから上ステージ２０の上転動面２１の左面部２７を中央部２２側に駆け上がるように転動する（図３，４参照）。そして、遊技球Ｂが、流入口５０に流入しなければ、その後、戻しルート４６を経て、例えば、右面部２８の底部２８ａから下ステージ３２の下転動面３３に転動し、中央部３４のエリアに到達して、案内面３５上に載り、その際、リフト６０が最下降時に配置されていれば、支持面６１上に案内されて、リフト６０とともに上昇する。この時、図５のＡ，Ｂ，Ｃや図７のＡ，Ｂ，Ｃに示すように、リフト６０に載った遊技球Ｂは、左右に揺動可能な凹面からなる支持面６１上に載って上昇し、リフト６０が支持面６１を上ステージ２０側の最上昇位置に配置させれば、支持面６１上から流入口５０若しくは隣接エリア２４，２５に転動する。そして、遊技球Ｂは、流入口５０に流入しなければ、戻しルート４６を経て、下流側の下ステージ３２の中央部３４のエリアにおける案内面３５上に載り、その際、リフト６０が上昇して、第２流入口６９が開口していれば、第２流入口６９に流入する（図６のＢ参照）。あるいは、遊技球Ｂが案内面３５上に載った際に、リフト６０が最下降位置に配置されていれば、再度、リフト６０の支持面６１で受け止められ（図６のＡ参照）、そして、上ステージ２０側に移送され、流入口５０に流入するか、あるいは、戻しルート４６を経て、リフト６０付近まで戻され、第２流入口５５に流入するか、排出路４４から排出される、あるいは、再度、リフト６０で移送されて既述のループ動作を行うこととなって、排出路４４から排出される場合を除いて、流入口５０若しくは第２流入口６９に流入可能となる。そして、これらの入賞補助通路４９の流入口５０，６９に遊技球Ｂが流入すれば、既述したように、遊技球Ｂは、自重により、流出口５１まで転動し、流出口５１から始動入賞口９側へ流出されることとなる。
【００３５】
その際、実施形態では、入賞補助通路４９内の流出側通路５２に、リフト６０の下部側に配置されて流出側通路５２を通過する遊技球Ｂを減速させて流出口５１側へ案内するように、流出側通路５２内を通過する遊技球Ｂと接触可能な干渉部７１が、配設されており、干渉部７１により流出口５１から流出する遊技球Ｂは、減速されて、始動入賞口９への入賞確率を高められて、始動入賞口９側に落下しつつ流出することとなる（図６のＢ参照）。
【００３６】
そして勿論、ステージ部１９には、遊技球Ｂをステージ部１９から排出させる排出路４４が配設されており、遊技球Ｂが流入口５０，６９に流入しなければ、排出路４４から排出されてしまう。
【００３７】
そして、実施形態の遊技機１の干渉部７１は、入賞補助通路４９（流出側通路５２）内に配設されており、入賞補助通路４９自体が、流出口５１をステージ部１９の下方に位置した始動入賞口９の上方で開口させて、流入口５０，６９から流入した遊技球Ｂを、始動入賞口９へ入り易くするように流出口５１から流出させるものであり、遊技球Ｂが流入口５０，６９へ流入すれば、干渉部７１により、一層、入賞確率を高めれられて、流出口５１から始動入賞口９側へ流出されることから、流入口５０，６９の存在価値が高まり、流入口５０，６９へ入るか、あるいは、排出路４４から排出されてしまうかと、遊技者にハラハラドキドキさせて、遊技の趣向性を向上させることができる。
【００３８】
したがって、実施形態の遊技機１では、ステージ部１９上を転動して流入口５０，６９に流入した遊技球Ｂを、ステージ部１９の下方に配置された始動入賞口９への入賞確率を高めて、ステージ部１９の流出口５１から流出させることができ、さらに、入賞補助通路４９の流入口５０，６９の存在価値が高まり、流入口５０，６９に入るか否かと、遊技者にハラハラドキドキさせることができ、遊技の趣向性を高めることができる。
【００３９】
特に、実施形態の遊技機１では、入賞補助通路４９における流出口５１側の流出側通路５２に、リフト６０側に延びる分岐通路５３を設け、そして、リフト６０には、最上昇位置への配置時に、下ステージ３２の下転動面３３の案内面３５からリフト６０側に転動する遊技球Ｂを分岐通路５３を経て流出側通路５２へ流入可能に開口し、かつ、下降時に下ステージ３２の案内面３５の下方に隠れる第２流入口６９が、配設されている。そのため、実施形態では、上ステージ２０側に開口した第１の流入口５０への流入を逃した遊技球Ｂを、リフト６０の上昇時に開口する第２流入口６９に流入させて、入賞補助通路４９の流出口５１から始動入賞口９に入球させることができ（図６のＢ参照）、遊技者に、入賞補助通路４９への遊技球Ｂの流入の期待感を増進させることができる。また、この第２流入口６９は、常時開口している訳ではなく、リフト６０の下降に伴って閉口するものであって、リフト６０の上下往復移動に伴って開閉を繰り返すことから、第２流入口６９に入るか否かと遊技者にハラハラドキドキさせることができて、一層、遊技の趣向性を向上させることができる。
【００４０】
さらに、実施形態の遊技機１では、入賞補助通路４９における流出口５１側の流出側通路５２が、リフト６０の支持面６１の下方で、前後方向に貫通するように配設され、リフト６０には、下部に、入賞補助通路４９の流出側通路５２の内周側に延びて、流出側通路５２内の遊技球Ｂを減速させて流出口５１側へ案内可能に、遊技球Ｂに接触する干渉部７１が、配設されている。すなわち、実施形態では、干渉部７１を、支持面６１で支持した遊技球Ｂを流入口５０に流入可能に上下動を繰り返すリフト６０に、設けており、別途、干渉部７１を配設しなくともよく、部品点数を少なく構成できる。そして特に、干渉部７１が、上下動を繰り返すリフト６０に配設されていれば、干渉部７１の遊技球Ｂに接触するタイミングや接触の程度を、リフト６０の上下動に伴って種々設定でき、遊技球Ｂの減速の有無や減速の程度の調整や設定を、容易に行うことができる。
【００４１】
ちなみに、実施形態では、干渉部７１の構成として、リフト６０の最上方位置の配置時から、下転動面３３の案内面３５から上方に開口している第２流入口６９が、開口面積をほぼ半分程度まで狭める高さ位置まで下降する際、流出側通路５２の左右両側から流出側通路５２の中心側へ延びるように配設されている（図５，７のＣ，Ｂ参照）。そして、流出側通路５２を通過する遊技球Ｂは、リフト６０の上昇時に、干渉部７１，７１の後面の受止面７１ａに接触して停止する構成として、リフト６０の下降に伴い、干渉部７１，７１の受止面７１ａが遊技球Ｂの前面側から離脱するように下方に移動して、遊技球Ｂは、減速された状態で流出口５１側に転動し、落下する放物線を始動入賞口９へ入賞し易い軌跡として、始動入賞口９に入賞する確率を高めて、流出口５１から流出している。すなわち、実施形態では、リフト６０の最上昇時付近のタイミングで、流出側通路５２に干渉部７１，７１を配置させて、リフト６０の最下降時に、干渉部７１，７１の受止面７１ａを流出側通路５２から離脱させる構成としている。そのため、リフト６０の最上昇時に、支持面６１上で支持した遊技球Ｂが、流入口５０に流入して直ちに、流出側通路５２を流出口５１側に転動しても、あるいは、リフト６０の上昇に伴って開口した第２流入口６９から遊技球Ｂが流入しても、共に、それらの遊技球Ｂを干渉部７１，７１の受止面７１ａが受け止めて、そして、リフト６０の下降に伴って、それらの遊技球Ｂを減速させた状態で流出口５１側に転動できる。その結果、リフト６０の上昇に伴って流入口５０に流入した遊技球Ｂや第２流入口６９に流入した遊技球Ｂは、タイミング良く配置された干渉部７１によって的確に減速されて、始動入賞口９への入賞確率をより高めた安定した速度で、流出口５１から流出できる。
【００４２】
上記の点を考慮しなければ、図９，１０に示すリフト６０Ａの干渉部７１Ａ、７１Ａのように構成してもよい。この干渉部７１Ａ，７１Ａでは、リフト６０Ａの最下降時付近において、後面側の受止面７１ａが、入賞補助通路４９の周壁のスリット５４を経て流出側通路５２の内周側に侵入して、流出口５１側へ通過する遊技球Ｂを減速させるように停止させる。そして、リフト６０Ａの上昇時、干渉部７１Ａ，７１Ａは、その受止面７１ａを遊技球Ｂの前面から同時に上方に離脱させて、減速させた状態で遊技球Ｂを流出口５１側に転動させることとなり、このような干渉部７１Ａ，７１Ａを、リフト６０Ａに設けてもよい。
【００４３】
なお、実施形態の干渉部７１は、リフト６０の最下降時の時期付近に流出側通路５２を通過する遊技球Ｂには接触せず、その遊技球Ｂを減速できないように設定されている。また、図９，１０に示すリフト６０Ａの干渉部７１Ａは、リフト６０Ａの最上昇時の時期付近に流出側通路５２を通過する遊技球Ｂには接触せず、その遊技球Ｂを減速できないように設定されている。
【００４４】
上記の点を改良する場合には、図１１，１２に示すリフト６０Ｂのように、リフト６０Ｂの最上昇位置付近と最下降位置付近とにおいて、流出側通路５２を通過する遊技球Ｂと接触可能な干渉部７１Ｂ，７１Ｂを、リフト６０に設けてもよい。この干渉部７１Ｂ，７１Ｂは、ある程度の形状保持性を有して弾性変形可能なゴムや合成樹脂から形成される薄肉状のヒレ部７２，７２から構成されている。そして、各ヒレ部７２，７２は、相互に左右対称形として、入賞補助通路４９の周壁のスリット５４を経て流出側通路５２内に侵入して、リフト６０が最上昇位置付近と最下降位置付近とに配置される際に、流出側通路５２を通過する遊技球Ｂと接触可能な二つの凸板部７２ａ，７２ｂを備えるとともに、凸板部７２ａ，７２ｂ間に、左右のヒレ部７２，７２間に遊技球Ｂの外径寸法より僅かに大きな開口を形成可能な凹部７２ｃを設けて構成されている。
【００４５】
このような干渉部７１Ｂ，７１Ｂでは、流出側通路５２を流出口５１側に通過する遊技球Ｂが、凸板部７２ａ，７２ｂの後面側の受止面７１ａに当たって減速されるように停止され、遊技球Ｂの前面側から凸板部７２ａ，７２ｂの受止面７１ａが同時に離脱して、遊技球Ｂが減速された状態で、流出口５１側に転動したり、あるいは、遊技球Ｂが、左右の凹部７２ｃ，７２ｃ間をヒレ部７２，７２に接触せずに通過して、減速されずに流出口５１側に転動する。さらに、ヒレ部７２の凸板部７２ａ，７２ｂの一部に接触して、遊技球Ｂが、左右のヒレ部７２の一部を均等に弾性変形させるように撓ませつつ、減速する程度を少なくして、流出口５１側に転動させることができる。このような干渉部７１Ｂでは、通過時の遊技球Ｂに対する減速状態を変動可能に、遊技球Ｂに対する接触抵抗を上下にわたって変化させるように、内縁を凹凸状に形成しており、リフト６０Ｂの上下往復移動する際のタイミングに応じて、遊技球Ｂの減速の程度を異ならせて、遊技球Ｂを流出口５１側に転動させることができる。
【００４６】
なお、図例では、リフト６０，６０Ａ，６０Ｂに設けた第２流入口６９の下方に、遊技球Ｂの前面の左右両側に接触する干渉部７１，７１Ａ，７１Ｂを設けた場合を示したが、第２流入口６９を開口させていないリフトに、遊技球Ｂに干渉する干渉部を設けてもよい。例えば、図１３〜１５に示すリフト６０Ｃでは、下部側の下縁が、干渉部７１Ｃとして、その後面を、遊技球Ｂの前面の中央付近を受け止めて停止させる受止面７１ａとしている。このリフト６０Ｃは、リフト６０Ａと同様に、上下往復移動を繰り返すように作動され、下降時に、流出側通路５２を通過する遊技球Ｂの前面側に受止面７１ａを配置させ、そして、上昇時、干渉部７１Ｃの受止面７１ａを遊技球Ｂの前面から上方に離脱させて、減速させた状態で遊技球Ｂを流出口５１側に転動させるように構成されている。なお、この干渉部７１Ｃも、図１１，１２に示すリフト６０Ｂのヒレ部７２と同様に、ある程度の形状保持性を有して弾性変形可能なゴムや合成樹脂から形成してもよい。
【００４７】
また、図１６，１７に示すリフト６０Ｄのように、干渉部７１Ｄが、流出口５１に向けて左右方向の幅寸法を徐々に狭めるような前後方向の横断面をテーパ面状として、構成されてもよい。この干渉部７１Ｄ,７１Ｄでは、前方に向かうにつれて相互に接近するように相互に対向するテーパ面を、案内面７１ｂとして配設している。案内面７１ｂ，７１ｂ相互の前方側の開口寸法ＷＥは、遊技球Ｂの直径寸法より僅かに大きな寸法に設定されている。そのため、この干渉部７１Ｄ，７１Ｄでは、遊技球Ｂの前面の左右両側に均等に案内面７１ｂ，７１ｂを接触させ、遊技球Ｂを減速させつつ、遊技球Ｂの前方側に向かう直進性を高めて、始動入賞口９への入賞確率をより高めた安定した速度で、流出口５１から流出させることができる。なお、このリフト６０Ｄは、上下往復移動を繰り返すように構成されているが、干渉部７１Ｄが、入賞補助通路４９の流出側通路５２の周壁のスリット５４に対して、上下方向に沿って同一横断面形状とし挿通されており、リフト６０Ｄの最上昇位置や最下降位置の配置に無関係に、流出側通路５２を通過する遊技球Ｂを、減速させつつ、前方側に向かう直進性を高めさせて、流出口５１側に案内することができる。この点を考慮しなけば、干渉部７１Ｄの配置を上下にずらしたり、案内面７１ｂ，７１ｂの相互の交差角度を広げたりして、リフト６０Ｄの最上昇位置や最下降位置への配置時に、適宜、干渉部７１Ｄが流出側通路５２を通過する遊技球Ｂに接触するように構成してもよい。
【００４８】
さらに、図１８，１９に示すように、上下往復移動するリフト６０Ｅに干渉部を設けずに、入賞補助通路４９の流出側通路５２の内周面自体に、干渉部７１Ｅを設けてもよい。この干渉部７１Ｅ，７１Ｅも、前方に向かうにつれて相互に接近するように相互に対向するテーパ面を、案内面７１ｂとして配設している。勿論、これらの案内面７１ｂ，７１ｂ相互の前方側の開口寸法ＷＥも、遊技球Ｂの直径寸法より僅かに大きな寸法に設定されている。そして、この干渉部７１Ｅ，７１Ｅでも、遊技球Ｂの前面の左右両側に均等に案内面７１ｂ，７１ｂを接触させて、遊技球Ｂを減速させつつ、遊技球Ｂの前方側に向かう直進性を高めて、始動入賞口９への入賞確率をより高めた安定した速度で、遊技球Ｂを流出口５１から流出させることができる。
【００４９】
あるいは、入賞補助通路４９自体に設ける干渉部７１Ｆとしては、図２０に示すように、図１１，１２に示すリフト６０Ｂのヒレ部７２と同様に、ある程度の形状保持性を有して弾性変形可能なゴムや合成樹脂から形成してもよい。この干渉部７１Ｆ，７１Ｆでは、遊技球Ｂの前面に左右で均等に撓みつつ接触するように配設されており、遊技球Ｂとの接触時、案内面７１ｂと同様に、前方側への直進性を付与しつつ遊技球Ｂを減速させることができる。
【００５０】
さらに、実施形態では、ステージ部１９への遊技球Ｂの入球が、パイプ状のワープ通路１７からなる入球口を使用して行われる場合を例示したが、単に、飾り枠体１３の内外を貫通する入球口を利用して、ステージ部１９上に遊技球Ｂを入球させるように構成してもよい。
【００５１】
さらにまた、リフト６０，６０Ａ，６０Ｂ，６０Ｃ，６０Ｄ、あるいは、ステージ部１９の中央部２２，３４付近は、内部を通過する遊技球Ｂを視認できるように、ある程度の透明度を有した合成樹脂材料等からなる透明体（若しくは半透明体）から形成してもよい。
【００５２】
さらに、入賞補助通路４９に設ける干渉部７１，７１Ａ，７１Ｂ，７１Ｃ，７１Ｄ，７１Ｅ，７１Ｆは、流入口５０，６９に近い部位に配設してもよいが、流出口５１から流出する遊技球Ｂの速度を低速にすることを考慮すれば、流出口５１に近いエリアの流出側通路５２に、配設することが望ましい。
【図面の簡単な説明】
【００５３】
【図１】本発明の一実施形態のパチンコ遊技機における遊技盤面を示す概略正面図である。
【図２】実施形態のセンター役物を示す左方から見た概略斜視図であり、リフトの最下降時の状態を示す。
【図３】実施形態のセンター役物を示す右方から見た概略斜視図であり、リフトの最下降時の状態を示す。
【図４】実施形態のセンター役物を示す右方から見た概略斜視図であり、リフトの上昇時の状態を示す。
【図５】実施形態のリフト付近の概略正面図であり、最下降位置から最上昇位置まで上昇する状態を順に示す。
【図６】実施形態のリフト付近における図５のＡのVI−VI部位に対応する前後方向に沿った概略縦断面図であり、リフトの最下降時と最上昇時との状態を示す。
【図７】実施形態のリフト付近における図６のＡのVII−VII部位に対応する左右方向に沿った概略縦断面図であり、リフトの最下降位置から最上昇位置まで順に上昇する状態を示す。
【図８】実施形態のリフトとその駆動機構を示す概略斜視図である。
【図９】実施形態の変形例のリフトを使用した遊技機のリフト付近の左右方向に沿った概略縦断面図であり、リフトの最下降位置から最上昇位置まで上昇する状態を示す図である。
【図１０】図９に示すリフトを使用した遊技機のリフト付近における前後方向に沿った概略縦断面図であり、リフトの最下降時と最上昇時との状態を示す。リフトの斜視図である。
【図１１】実施形態の他の変形例のリフトを使用した遊技機のリフト付近の左右方向に沿った概略縦断面図であり、リフトの最下降位置から最上昇位置まで上昇する状態を示す図である。
【図１２】図１１に示すリフトを使用した遊技機のリフト付近における前後方向に沿った概略縦断面図であり、リフトの最下降時と最上昇時との状態を示す。
【図１３】実施形態の他の変形例のリフトを使用したステージ部を示す斜視図であり、リフトの最下降時の状態を示す。
【図１４】図１３に示すリフトの上昇時の状態を示すステージ部の斜視図である。
【図１５】図１３に示すリフトを使用した遊技機のリフト付近の前後方向に沿った概略縦断面図であり、リフトの最下降位置から最上昇位置まで上昇する状態を示す図である。
【図１６】実施形態のさらに他の変形例のリフトを使用した遊技機のリフト付近の左右方向に沿った概略縦断面図であり、リフトの最下降位置から最上昇位置まで上昇する状態を示す図である。
【図１７】図１６のＡのXVII−XVII部位の概略横断面図である。
【図１８】実施形態のさらに他の変形例のリフトを使用した遊技機のリフト付近の前後方向に沿った概略縦断面図であり、リフトの最下降位置から最上昇位置まで上昇する状態を示す図である。
【図１９】図１８のＡのXIX−XIX部位の概略横断面図である。
【図２０】実施形態のさらに他の変形例の干渉部を示す概略横断面図である。
【符号の説明】
【００５４】
１…（パチンコ）遊技機、
９…（始動）入賞口、
１６…センター役物、
１７…（ワープ通路）入球口、
１９…ステージ部、
２０…上ステージ、
３２…下ステージ、
４４…排出路、
４６…戻しルート、
４９…入賞補助通路、
５０…流入口、
５１…流出口、
５２…（流出口側の部位）流出側通路、
６０，６０Ａ，６０Ｂ，６０Ｃ，６０Ｄ，６０Ｅ…リフト、
６１…支持面、
６９…第２流入口、
７１，７１Ａ，７１Ｂ，７１Ｃ，７１Ｄ，７１Ｅ，７１Ｆ…干渉部、
７１ａ…受止面、
Ｂ…遊技球。
【図１】
2010017313.tif 000003
【図２】
2010017313.tif 000004
【図３】
2010017313.tif 000005
【図４】
2010017313.tif 000006
【図５】
2010017313.tif 000007
【図６】
2010017313.tif 000008
【図７】
2010017313.tif 000009
【図８】
2010017313.tif 000010
【図９】
2010017313.tif 000011
【図１０】
2010017313.tif 000012
【図１１】
2010017313.tif 000013
【図１２】
2010017313.tif 000014
【図１３】
2010017313.tif 000015
【図１４】
2010017313.tif 000016
【図１５】
2010017313.tif 000017
【図１６】
2010017313.tif 000018
【図１７】
2010017313.tif 000019
【図１８】
2010017313.tif 000020
【図１９】
2010017313.tif 000021
【図２０】
2010017313.tif 000022